(57)【特許請求の範囲】
【請求項１】
主板と、該主板の対向する両端辺に各々折目を介して連設したそれぞれ補助板からなる第１の補助板と、前記主板の両端辺と直交する方向に対向する両端辺に各々折目を介して連設した第２の補助板と、前記主板の一面側に被覆され且つ第１の補助板に貼着された第１の保持用フィルムと、前記主板の他面側に被覆され且つ第２の補助板に貼着された第２の保持用フィルムとからなる両面物品保持板Ａであって、前記主板と第１の保持用フィルムとの間又は及び前記主板と第２の保持用フィルムとの間に物品を装填し、第１の補助板を折目を介して主板に対し第１の保持フィルム面と反対面側に垂直に折り立て、第２の補助板を折目を介して主板に対し第２の保持フィルム面と反対面側に垂直に折り立てることにより、主板の両面に前記フィルムにて物品を挟み込み可能であることを特徴とする両面物品保持板。
【請求項２】
前記第１の補助板または前記第２の補助板の少なくとも一方に、折目を介して対向する連結板を連設し、対向する当該連結板を係止するための係止部を該連結板に設けたことを特徴とする請求項１記載の両面物品保持板。
【請求項３】
請求項１または２記載の両面物品保持板Ａを、少なくとも一端が開口可能な筒状体Ｂ内に収容してなることを特徴とする包装体。
【発明の詳細な説明】
【技術分野】
【０００１】
本発明は、物品を梱包包装する際に、その物品を固定保持するために使用する両面物品保持板、及びその物品を保持した両面物品保持板を、外側から包装するための外装包装体内に収容包装した包装体に関する。
【背景技術】
【０００２】
一般的に、電気製品や精密機器等の物品を包装、出荷する際における物品を保護するための包装形態として、発泡スチロールや段ボール等の複雑な構造の緩衝材や仕切材等が使用されている。
【０００３】
また、地球環境問題や嵩ばり等を考慮して、紙、フィルム、シート材等を用いた緩衝包装形態も利用されており、このような包装形態としては、物品を所定の保持体に固定保持した後、その物品を保持した保持体を、外装用の包装箱など別の所定の包装容器内に収納包装することにより、保持体に保持された物品と外装箱の内壁との間にその物品を保護するための緩衝用の空間を形成することにより梱包包装して出荷する場合があり、このような包装形態としては、例えば特許文献１がある。
【０００４】
特に複数の物品を１つの包装容器内に収納して包装、出荷する際は、その複数の物品を所定の保持体にて一つの包装用物として纏めて固定保持した後、その物品を保持した保持体を外装用の包装箱など別の所定の包装容器内に収納包装することにより梱包包装して出荷している。
【０００５】
このような保持体と包装容器とを用いた物品包装形態においては、まず、包装すべき物品を所定の保持体に保持する作業と、物品を保持した保持体を外装用の包装箱など所定の包装容器内に収納する作業を伴うものである。
【０００６】
包装すべき物品を、上記のような保持体に保持する保持作業においては、特にその物品が複数個、複数本、複数枚等の製品や商品の場合や、複数の物品の１組を１セットとするセット商品等の場合等は、その保持作業が煩雑になり易く、物品を予め決められた保持体の所定位置に、短時間で安価に効率的に保持操作することができような保持体、及び物品を保持した後の保持体を、その物品と共に包装容器内に、短時間で安価に効率的に収容包装操作することができるような保持体が、包装品質や包装能率の向上のために望まれている。
【０００７】
以下に、本願に関連する先行技術文献を記載する。
【特許文献１】特開２００６−２４８５４９公報
【発明の開示】
【発明が解決しようとする課題】
【０００８】
本発明の課題は、物品を保持する保持体と物品を保持した保持体を収容包装する包装容器とを用いた物品包装形態において、物品を決められた所定位置に、短時間で安価に効率的に保持することができる保持体、及び物品を保持した後の保持体を、その物品と共に包装容器内に、短時間で安価に効率的に収容包装することができる保持体及びその保持体を用いた包装体を提供することにより、包装品質や包装能率の向上を図ることにある。
【課題を解決するための手段】
【０００９】
本発明の請求項１に係る発明は、主板と、該主板の対向する両端辺に各々折目を介して連設したそれぞれ補助板からなる第１の補助板と、前記主板の両端辺と直交する方向に対向する両端辺に各々折目を介して連設した第２の補助板と、前記主板の一面側に被覆され且つ第１の補助板に貼着された第１の保持用フィルムと、前記主板の他面側に被覆され且つ第２の補助板に貼着された第２の保持用フィルムとからなる両面物品保持板Ａであって、前記主板と第１の保持用フィルムとの間又は及び前記主板と第２の保持用フィルムとの間に物品を装填し、第１の補助板を折目を介して主板に対し第１の保持フィルム面と反対面側に垂直に折り立て、第２の補助板を折目を介して主板に対し第２の保持フィルム面と反対面側に垂直に折り立てることにより、主板の両面に前記フィルムにて物品を挟み込み可能であることを特徴とする両面物品保持板である。
【００１０】
本発明の請求項２に係る発明は、上記請求項１に係る両面物品保持板において、前記第１の補助板または前記第２の補助板の少なくとも一方に、折目を介して対向する連結板を連設し、対向する当該連結板を係止するための係止部を該連結板に設けたことを特徴とする両面物品保持板である。
【００１１】
本発明の請求項３に係る発明は、上記請求項１または２に係る両面物品保持板Ａを、少なくとも一端が開口可能な筒状体Ｂ内に収容してなることを特徴とする包装体である。
【発明の効果】
【００１２】
本発明の両面物品保持板Ａによれば、主板１の表面（一面）の対向する両端辺において第１保持フィルム１１を貼着した第１の補助板（補助板２、２）を該主板１の裏面側に折目ａ、ａを介して折り曲げて垂直に立ち起こすことにより、保持板Ａの総厚に応じて保持板Ａの折目ａ近傍の表面側の伸び量が裏面側の伸び量より大きくなり、主板１の表面側を覆う第１保持フィルム１１はその伸び量の差分だけ緊張するため、主板１の表面と第１保持フィルム１１との間に収納された物品を、第１の補助板を立ち起こす前よりも主板１と第１保持フィルム１１との間にタイトに挟持して固定保持することができる。
【００１３】
一方、主板１の裏面（他面）の対向する両端辺において、第２保持フィルム２１を貼着した第２の補助板（補助板３、３）を該主板１の表面側に折目ｂ、ｂを介して折り曲げて垂直に立ち起こすことにより、保持板Ａの総厚に応じて保持板Ａの折目ｂ近傍の裏面側の伸び量が表面側の伸び量より大きくなり、主板１の裏面側を覆う第２保持フィルム２１はその伸び量の差分だけ緊張するため、主板１の裏面と第２保持フィルム２１との間に収納された物品を、第２の補助板を立ち起こす前よりも主板１と第２保持フィルム２１との間にタイトに挟持して固定保持することができる。
【００１４】
また、本発明の両面物品保持板Ａによれば、包装すべき物品は、主板１の一面と第１保持フィルム１１との間の第１の収納空間Ｄ、及び該主板１の他面と第２保持フィルム２１との間の第２の収納空間Ｅに収納され、主板１に対して第１の補助板と第２の補助板を、それぞれ反対方向に垂直に立ち起こすことによりタイトに挟持して固定保持する構造であるため、物品を固定保持した後に、該両面物品保持板Ａを、その外側から加熱収縮性フィルムにて第１、第２の補助板をシュリンク包装枠体として利用してシュリンク包装したり、第１、第２の補助板をガイド板として利用して包装容器等の筒状体Ｂの内部に装填することにより、容易に第１、第２の補助板の折り立て状態を保持することができる包装体とすることができ、物品を収納した保持板Ａと包装体の内壁との間に、物品を保護するための緩衝用の空間や、保持板Ａに収納した物品以外の他の物品を収容するための有効な空間を形成することができる。
【００１５】
このように本発明の両面物品保持板Ａによれば、物品を保持板Ａの決められた所定位置（主板１の表裏面）に短時間で安価に効率的に保持することができ、物品を保持した後の
保持板Ａを、その物品と共に包装容器Ｂ内に、短時間で安価に効率的に収容包装することができる包装体を提供することができ、包装品質や包装能率の向上に効果的である。
【発明を実施するための最良の形態】
【００１６】
本発明の両面物品保持板Ａの発明の実施の形態を、図１（ａ）の保持板Ａの平面図、図１（ｂ）のＸ−Ｘ側断面図、図１（ｃ）のＹ−Ｙ側断面図に基づいて以下に詳細に説明する。
【００１７】
本発明の両面物品保持板Ａは、図１（ａ）に示すように、板紙、段ボールシート、プラスチックシート等の基材シートからなる、主板１と、該主板１の平行に対向する両端辺に各々折目ａを介して連設したそれぞれ補助板２、２からなる第１の補助板と、前記主板１の両端辺と直交する方向に平行に対向する両端辺に各々折目ｂを介して連設したそれぞれ補助板３、３からなる第２の補助板とを備える。
【００１８】
図１（ａ）、（ｂ）に示すように、前記主板１の一面（表面）側には、ポリオレフィン樹脂（ポリエチレン樹脂、ポリプロピレン樹脂等）、ポエチレンテレフタレート樹脂等のプラスチックフィルム、伸縮性のあるエラストマー系樹脂フィルムやゴム系フィルム、繊維、織布（又は不織布）系シート、あるいはこれらの複合フィルム等のフィルム、シートからなる第１の保持用フィルム１１が非接着状態で被覆され、該第１の保持用フィルム１１は、補助板２、２からなる第１の補助板（その表面）に、接着材にて接着されて貼着固定している。
【００１９】
一方、前記主板１の他面（裏面）側には、第１の保持用フィルム１１と同様の前記フィルム、シートからなる第２の保持用フィルム２１が非接着状態で被覆され、該第２の保持用フィルム２１は、補助板３、３からなる第２の補助板（その裏面）に、接着材にて接着されて貼着固定している。
【００２０】
図１（ａ）、（ｂ）に示すように、基材シートである主板１及び折目ａを介して連設した補助板２、２の一面（表面）側には、第１の保持フィルム１１が被覆され、主板１と第１の保持フィルム１１とは互いに非接着状態であり、両者の間には包装対象の物品Ｆが挟み込まれて収納されるための第１の収納用空間Ｄが形成されるようになっている。
【００２１】
また、図１（ａ）、（ｂ）、（ｃ）に示すように、基材シートである主板１及び折目ｂを介して連設した補助板３、３の他面（裏面）側には、第２の保持フィルム２１が被覆され、主板１と第２の保持フィルム２１とは互いに非接着状態であり、両者の間には包装対象の物品Ｆが挟み込まれて収納されるための第２の収納用空間Ｅが形成されるようになっている。なお、それぞれ前記第１、第２の保持フィルム１１、２１は、主板１に対して弛みを設けずに密に重ね合わせて、それぞれ補助板２、２、補助板３、３に貼着固定してもよいし、例えば、包装対象の物品Ｆの大きさ（厚さ）や重量等の物品条件や包装条件に対応して、主板１に対して適宜に弛みを設けて貼着固定して、主板１と保持フィルム１１、２１との間の第１、第２の収納用空間Ｄ、Ｅの収納容積を調整することは可能である。
【００２２】
前記両面物品保持板Ａの前記主板１と第１の保持用フィルム１１との間に形成される第１の収納空間Ｄ、又は及び、前記主板１と第２の保持用フィルム２１との間に形成される第２の収納空間Ｅに、物品Ｆを収納した後、図２に示すように、第１の補助板である対向する補助板２、２を、折目ａ、ａを介して、主板１に対して第１の保持フィルム１１面と反対面側に垂直に折り立て、第２の補助板である対向する補助板３、３を、折目ｂ、ｂを介して、主板１に対して第２の保持フィルム２１面と反対面側に垂直に折り立てることにより、主板１の表裏両面に、前記フィルム１１、２１にて、それぞれ物品Ｆを挟み込むものである。なお、本発明においては収納する物品Ｆの大きさは特に限定されるものではな
いが、物品Ｆを収納空間Ｄ、Ｅ内に収納した後におけるそれぞれ前記フィルム１１、２１の主板１からの突出高さが、それぞれ折り立てた補助板２、２、補助板３、３の高さを超えない程度が好ましい。
【００２３】
このようにして物品を挟み込んだ図２に示す両面物品保持板Ａは、該両面物品保持板Ａの外側から、加熱収縮性フィルム（シュリンクフィルム）などにて被覆した後、加熱することにより収縮性フィルムを収縮させることにより、補助板２、２、補助板３、３の折り立て状態を保持するものである。
【００２４】
また、このようにして物品Ｆを挟み込んだ図２に示す両面物品保持板Ａは、図３（ａ）に示すように、該両面物品保持板Ａを、少なくとも、一端が開口する筒状体Ｂの開口部Ｂ1 から、その内部に矢印方向に挿入することにより、図３（ｂ）に示すように、筒状体Ｂ内に収容して、補助板２、２、補助板３、３の折り立て状態を保持して、包装体Ｃを得るものである。
【００２５】
なお、第１の補助板を構成する各補助板２、２、第２の補助板を構成する各補助板３、３のそれぞれ折り立てられる高さ（立設高さ）は、本発明においては特に限定されるものではないが、補助板２、２の高さ、及び補助板３、３の高さは、それぞれ同一でることが好ましい。また、少なくとも一端が開口する筒状体Ｂとしては、その筒状体の対向する両端のうち、一端又は両端が施蓋可能な容器、例えば、立方体、直方体形状の紙箱等の容器であってもよいし、両端が開口した筒体であってもよい。
【００２６】
また、本発明においては、少なくとも一端が開口する前記筒状体Ｂの開口部Ｂ1 の開口形状としては、例えば、円形状、多角形状、長方形状、台形状、正方形状、三角形状のいずれであってもよい。また主板１の平面形状は、本発明においては特に限定されるものではないが、その平面形状が矩形状であることが好ましく、少なくとも二対の対向する直線状の両端辺が直交方向に形成されていることが好ましい。また第１の補助板を構成する各補助板２、２、第２の補助板を構成する各補助板３、３の立設高さ、及び、筒状体Ｂの立体形状は、その一端部の開口する開口部Ｂ1 の開口形状に対応して設定することができるものである。
【００２７】
図４（ａ）は、本発明の両面物品保持板Ａの他の実施の形態を説明する平面図であり、主板１の両端辺に対向する第２の補助板である各補助板３、３のそれぞれ両端に折目ｃを介して各々連結板４、４、４、４を連設し、その各々連結板４の外端内側に、それぞれ係止突起４ａを設け、主板１と第１の補助板である各補助板２、２を連設した折目ａより主板１側の内側中央部に、各々前記係止突起４ａを整合させて係止するための係止孔１ａを設けたものである。
【００２８】
図４（ｂ）は、本発明の両面物品保持板Ａのその他の実施の形態を説明する平面図であり、主板１の両端辺に対向する第２の補助板である各補助板３、３のそれぞれ両端に折目ｃを介して各々連結板４、４、４、４を連設し、その各々連結板４の外端内側と外端外側に、図示するようにそれぞれ係止切込４ａを設けたものである。
【００２９】
図４（ａ）においては、図２に示すように各補助板２、２、各補助板３、３を主板１に対して垂直に折り立てた後、各補助板３のそれぞれ連結板４、４を折目ｃを介して直角に内方に折り曲げ、それぞれ連結板４、４外端の係止突起４ａを、主板１に設けた係止孔１ａ内に嵌合して係止することにより、各補助板３、３の折り立て状態を保持するものである。
【００３０】
図４（ｂ）においては、図２に示すように各補助板２、２、各補助板３、３を主板１に
対して垂直に折り立てた後、各補助板３のそれぞれ連結板４、４を折目ｃを介して直角に内方に折り曲げ、それぞれ連結板４、４外端の各々係止切込４ａ同士を互いに差し込み係合することにより、各補助板３、３の折り立て状態を保持するものである。
【００３１】
また図４（ｃ）は、本発明の両面物品保持板Ａのその他の実施の形態を説明する平面図であり、主板１の両端辺に対向する第１の補助板である各補助板２、２の外側に折目ｄを介してそれぞれ連結板５、５を連設し、第２の補助板である各補助板３、３の外側に折目ｅを介してそれぞれ連結板６、６を連設し、その各々連結板５、５の外端内側に互いに整合して係止可能な各々係止部５ａ、５ａと、その各々連結板６、６の外端内側に互いに整合して係止可能な各々係止部６ａ、６ａとを設けたものである。
【００３２】
なお、前記係止部５ａ、５ａ、係止部６ａ、６ａとしては、本発明においては特に限定されるものではないが、例えば、図４（ｃ）に示す各々係止部５ａ、５ａ、係止部６ａ、６ａの形成位置に、用紙用の綴金具、あるいは洋服用のボタン、ホック（フック）のような鉤止め形式の係止部を取り付けてもよいし、それぞれ連結板５、５本体、連結板６、６本体の外端内側に、互いに整合する位置に、その内端側に向かって半円状、突状に突出する形状の切線を刻切して係止部としてもよい。
【００３３】
図４（ｃ）においては、図２に示すように、各補助板２、２、各補助板３、３を主板１に対して垂直に折り立てた後、各補助板２のそれぞれ連結板５、５を折目ｄを介して直角に内方に折り曲げ、各補助板３のそれぞれ連結板６、６を折目ｅを介して直角に内方に折り曲げ、それぞれ連結板５、５外端の各々係止部５ａ同士を、互いに重ね合わせ整合し、適宜手段（各々連結板５、５外端に設けた内方に湾曲する切込片、綴じ金具など）にて係止し、それぞれ連結板６、６外端の各々係止部６ａ同士を、互いに重ね合わせ整合し、適宜手段（各々連結板６、６外端に設けた内方に湾曲する切込片、綴じ金具など）にて係止することにより各補助板２、２、補助板３、３の折り立て状態を保持するものである。
【００３４】
図５は、本発明の両面物品保持板Ａのその他の実施の形態を説明する平面図であり、主板１の両端辺に対向する第１の補助板である各補助板２、２の外側に折目ｆを介してそれぞれ連結板７、７を連設し、第２の補助板である各補助板３、３の外側に折目ｇを介してそれぞれ連結板８、８を連設し、その各々連結板７、７の外端内側と外端外側に互いに整合して差込係止可能な各々係止切込７ａ、７ａと、その各々連結板８、８の外端内側と外端外側に互いに整合して差込係止可能な各々係止切込８ａ、８ａを設けたものである。
【００３５】
図５においては、図２に示すように各補助板２、２、各補助板３、３を主板１に対して垂直に折り立てた後、各補助板２のそれぞれ連結板７、７を折目ｆを介して直角に内方に折り曲げ、各補助板３のそれぞれ連結板６、６を折目ｅを介して直角に内方に折り曲げ、それぞれ連結板７、７外端同士を互いに重ね合わせ整合し、各々係止切込７ａ同士を差込係止し、それぞれ連結板８、８外端同士を互いに重ね合わせ整合し、各々係止切込８ａ同士を差込係止することにより、各補助板２、２、補助板３、３の折り立て状態を保持するものである。
【００３６】
このようにして、図４（ａ）〜（ｃ）、図５に示す両面物品保持板Ａを用いて物品を挟み込み各補助板２、２、補助板３、３の折り立て状態を保持した両面物品保持板Ａ（図２参照）は、該両面物品保持板Ａの外側から、加熱収縮性フィルム（シュリンクフィルム）などにて被覆した後、加熱することにより収縮性フィルムを収縮させることにより、補助板２、２、補助板３、３の折り立て状態を保持した状態の包装体Ｃが得られる。
【００３７】
また図４（ａ）〜（ｃ）、図５に示す両面物品保持板Ａを用いて物品を挟み込み、各補助板２、２、補助板３、３の折り立て状態を保持した両面物品保持板Ａ（図２参照）は、
図３（ａ）に示すように、該両面物品保持板Ａを、少なくとも、一端が開口する筒状体Ｂの開口部Ｂ1 から、その内部に矢印方向に挿入することにより、図３（ｂ）に示すように筒状体Ｂ内に収容することにより、補助板２、２、補助板３、３の折り立て状態を保持した状態の包装体Ｃが得られる。
【００３８】
本発明の両面物品保持板Ａ及び筒状体Ｂを用いて包装、出荷する包装対象となる物品Ｆとしては、本発明においては特に限定されるものではないが、例えば、電気製品や精密部品、あるいは日用品等の大小の物品、あるいはカタログ、冊子、書籍等のシート状の物品や偏平状の物品等でもよい。
【図面の簡単な説明】
【００３９】
【図１】本発明の両面物品保持板Ａの一実施の形態を説明する全体平面図。
【図２】本発明の両面物品保持板Ａの一実施の形態における物品の収納と補助板の折り立て状態を説明する全体斜視図。
【図３】（ａ）は物品を収納し補助板を折り立てた状態の本発明の両面物品保持板Ａを筒状体Ｂ内に収容する状態を説明する全体斜視図、（ｂ）は本発明の両面物品保持板Ａを筒状体Ｂ内に収容した包装体Ｃを説明する全体斜視図。
【図４】（ａ）〜（ｃ）は本発明の両面物品保持板Ａの各種の他の実施の形態を説明する全体平面図。
【図５】本発明の両面物品保持板Ａの他の実施の形態を説明する全体平面図。
【符号の説明】
【００４０】
Ａ…両面物品保持板Ａ
Ｂ…筒状体
Ｂ1 …開口部
Ｂ2 …蓋部
Ｃ…包装体
Ｄ…第１の収納空間
Ｅ…第２の収納空間
Ｆ…物品
ａ、ｂ、ｃ、ｄ、ｅ、ｆ、ｇ…折目
１…主板
２…補助板
３…補助板
４、５、６、７、８…連結板
１１…第１の保持フィルム
２１…第２の保持フィルム
【図１】
0005146115.tif 000002
【図２】
0005146115.tif 000003
【図３】
0005146115.tif 000004
【図４】
0005146115.tif 000005
【図５】
0005146115.tif 000006